(57)【要約】【課題】本願発明は、支柱が受ける荷重等に自在に対応することができ、また、設置条件に応じて自在な支柱の対応ができる屋外用の支柱、及び該屋外用の支柱の立設方法を提供することを課題とする。【解決手段】屋外空間に立設すべく、地上に設けられた上部支柱体と、地面に埋設する下部支柱体と、該下部支柱体の側面には埋設方向に沿って取り付けられた板状のプレートとから構成された屋外用の支柱において、前記プレートが穿孔する径に対応してプレートの幅、及び表面積を拡大、縮小すべく着脱自在に形成されていることである。【選択図】図１
2017089358.tif 000002
【特許請求の範囲】
【請求項１】
屋外の空間部に立設すべく、地上に設けられた上部支柱体と、地面に埋設する下部支柱体と、該下部支柱体の側面に取り付けられた板状のプレートとから構成された屋外用の支柱において、前記下部支柱体には、プレートを取り付けるための取付手段が設けられ、且つ前記プレートは、穿孔する径に対応してその長さ、幅を調整し、その表面積を拡大、又は縮小すべく形成されていることを特徴とする屋外用の支柱。
【請求項２】
屋外の空間部に支柱を立設すべく、地面に孔を穿孔し、前記支柱体の下部支柱体部分を側面に取り付けられたプレートを介して該孔に埋設することで前記下部支柱体を埋設するとともに、前記下部支柱体に連結した上部支柱体を地上側に立設する屋外用の支柱の立設方法において、前記下部支柱体を孔に埋設する際、下部支柱体に取り付けるプレートの長さ、幅を調整することで、表面積を拡大、又は縮小すべく形成し、該プレートを前記下部支柱体に取付手段を介して取り付けた後、前記下部支柱体を孔に埋設する、又はプレートを組み合わせてプレート体を形成して孔に挿入した後、前記プレート体に取付手段を介して下部支柱体を挿入することを特徴とする屋外用の支柱の立設方法。
【発明の詳細な説明】
【発明の詳細な説明】
【技術分野】
【０００１】本発明は、主にゴルフ場、野球場、サッカー場、及びラグビー場等の屋外グランドを使用するスポーツの外周縁に沿って吊り張りされたネット体の取り付け用として立設される屋外用の支柱、及び該屋外用の支柱の立設方法に関する。
【背景技術】
【０００２】従来、野球場は、球場外への球の飛び出しを防止するために、その外周縁に沿って所望の高さを有するネット体を吊り張りしている。これらネット体は、外周縁に沿って所望の間隔で立設された支柱間に連なって取り付けることで、外周縁に沿って吊り張りされている。【０００３】前記各支柱は、地面に埋設される下部支柱体と、該下部支柱体に連結され地上部分を形成する上部支柱体とから構成されている。【０００４】前記下部支柱体には埋設時の強度を強めるための板状のプレートが埋設方向に沿って取り付けられている。【０００５】前記支柱の立設は、地面に掘削り作業により孔を穿孔し、該孔にコンクリート用の型枠を取り付けてコンクリートを打ち、コンクリートの硬化後、型枠を取り除いて支柱の下部支柱体を挿入しコンクリートを打ち埋設することで、支柱を立設する。
【発明の開示】
【発明が解決しようとする課題】
【０００６】しかしながら、上記従来の屋外用の支柱は、下部支柱体に同一幅のプレートが取り付けられ、埋設時の強度を維持できる構成が開示されているものの、予め下部支柱体に取り付けられた同一幅で同一形状のプレートであるために、現地での地盤の強度等に応じた適切な対応ができず、強度の面で問題点があった。【０００７】また、プレートが下部支柱体に一体形成されているために、その製造工程が煩雑であり、コストの面で問題があった。【０００８】さらに、下部支柱体に予めプレートが設けられているために、支柱の立設場所までの搬送が煩雑であり、作業効率の面で欠点があった。【０００９】そこで本発明は屋外用の支柱を埋設する地盤の強度等に応じて自在に埋設でき、また、搬送時の煩雑な作業を省くことができる屋外用の支柱、及び該屋外用の支柱の立設方法を提供することを課題とする。
【課題を解決するための手段】
【００１０】本願発明は上記課題を解決する手段としての屋外用の支柱は、請求項１に記載のように、屋外の空間部に立設すべく、地上に設けられた上部支柱体と、地面に埋設する下部支柱体と、該下部支柱体の側面に取り付けられた板状のプレートとから構成された屋外用の支柱において、前記下部支柱体には、プレートを取り付けるための取り付け手段が設けられ、且つ前記プレートは穿孔する径に対応してその長さ、幅を調整し、その表面積を拡大、又は縮小すべく形成されていることを特徴とする。【００１１】また、上記課題を解決する手段としての屋外用の支柱の立設方法は、請求項２に記載のように、屋外の空間部に支柱を立設すべき、地面に孔を穿孔し、前記支柱体の下部支柱体部分を側面に取り付けたプレートを介して該孔に埋設することで前記下部支柱体を埋設するとともに、前記下部支柱体に連結した上部支柱体を地上側に立設する屋外用の支柱の立設方法において、前記下部支柱体を孔に埋設する際、下部支柱体に取り付けるプレートの長さ、幅を調整することで、表面積を拡大、又は縮小すべく形成し、該プレートを前記下部支柱体に取付手段を介して取り付けた後、前記下部支柱体を孔に埋設する、又はプレートを組み合わせてプレート体を形成して孔に挿入した後、前記プレート体に取付手段を介して下部支柱体を挿入することを特徴とする。
【発明の作用効果】
【００１２】次に、本願発明の屋外用の支柱、及び該屋外用の支柱の立設方法の作用効果を説明する。
【００１３】先ず請求項１に記載の屋外用の支柱は、地上に設けられる上部支柱体と、地面に埋設する下部支柱体とから構成されている。
【００１４】前記下部支柱体の側面には、埋設方向に沿ってプレートが取付手段を介して取り付けられている。
【００１５】このために、前記プレートは、穿孔する径に対応して、長さ、幅を調整し、その表面積を拡大又は縮小すべく形成した後、取付手段を介して下部支柱体に取り付けすることができる。
【００１６】また、支柱を立設する現地に搬送後、プレートを取り付けることができるので、支柱の搬送がスムーズに行える。
【００１７】このため、支柱を決定するだけで、地盤状況に応じて自在に対応できる。
【００１８】また、選択した適切なプレートを下部支柱体に取り付けることで、あらゆる地盤に対応することができる。
【００１９】次に、本願発明の請求項２に記載の屋外用の支柱の立設方法は、先ず地面に孔を穿孔し、該孔に支柱の下部支柱体部分を側面に取り付けられたプレートを介して埋設する。
【００２０】この際、埋設する孔の地盤状況（例えば地面の軟弱、穿孔する孔の径、深さ）に応じて、下部支柱体に取り付けるプレートの長さ、幅を調整してその表面積を拡大、又は縮小する。
【００２１】その後、地盤に対応すべく選択した前記プレートを、取付手段を介して下部支柱体の側面の埋設方向に沿って取り付ける。
【００２２】この状態で、下部支柱体を孔に挿入することで、孔内の設置面積を拡大し、埋設時の強度を向上することができる。
【００２３】このため、下部支柱体を地盤状況に応じて、確実に強固に埋設することができる。
【００２４】これにより、前記下部支柱体に取り付けられた上部支柱体を地上側に立設することができる。
【００２５】または、地盤状況に応じて選択したプレートを組み合わせて下部支柱体に応じた挿入孔を中心としてプレート四方に配置してプレート体を形成する。
【００２６】その後、前記プレート体を孔に挿入し、取付手段を介して下部支柱体を挿入孔に挿通することで、下部支柱体を埋設する。
【００２７】このように、本願発明の屋外用の支柱の立設方法は、下部支柱体にプレートを選択でき、また取付手段を介して容易に取り付けできるので、地盤状況に応じて適切に支柱を立設することができる。
【００２８】また、プレートを別体で形成するために、支柱の製造工程が従来に比し容易であり、安定した状態で支柱を製造することができる。
【００２９】また、下部支柱体へのプレートの取り付けが、現地に搬送後に取り付け、又は埋設後に取り付けでき、搬送工程がスムーズに行える。
【発明を実施するための最良の形態】
【００３０】本願発明の屋外用の支柱、及び屋外用の支柱の立設方法について図面を用いて説明する。【００３１】図１は本願発明の屋外用の支柱を示す概略説明側面図であり、図２、及び図３は下部支柱体に取り付けるプレートを示す概略説明側面図であり、図４、及び図５は下部支柱体に取り付けたプレートの取り付け状態を示す概略説明平面図であり、図６は本願発明の屋外用の支柱の他実施例を示す概略説明側面図であり、図７は図６の下部支柱体に取り付けるプレートを示す概略説明側面図であり、図８は本願発明の屋外用の支柱の他実施例を示す概略説明平面図である。【００３２】また、図９及び図１０は本願発明の屋外用の支柱の立設方法示すフローチャートを示す。【００３３】本願発明の屋外用の支柱１は、地面に埋設する円柱状でコンクリート、又は鋼管製の下部支柱体２と地上部分を形成し前記下部支柱体２より小径、円柱状でコンクリート、又は鋼管製の上部支柱体３とから構成されている。【００３４】前記下部支柱体２の側面２Ａには、埋設方向に沿って板状のプレート４を取り付けるための取付手段としての溝５が形成されている。【００３５】前記溝５の断面形状は略コの字状に形成することで、プレート４の端部側を該溝５に嵌入し、留め具（図示せず）を用いて溝５に固定されている。【００３６】前記溝５は、取り付けるプレート４の数に応じて、複数か所（実施例では３か所、又は４か所）形成されている。【００３７】本願発明において、取付手段は上記溝５に限定されるものでなく、下部支柱体２の側面２Ａの埋設方向に沿って突起部分６を形成し、該突起部分６にプレート４に形成された凹部を嵌入するように形成することも可能であり、また、側面２Ａに孔（図示せず）を穿孔し、プレート４の端部側の突起（図示せず）を該孔に嵌入することも可能である。【００３８】前記プレート４の形状は、地面に穿孔する孔に応じて決定され、孔が深い場合は、プレート４の長さ（Ｌ）を長く形成し、浅い場合はプレート４の長さ（Ｌ）を短く形成する。【００３９】また、孔が幅広の場合は、プレート４の幅（Ｗ）を広く形成し、幅狭の場合は、プレート４の幅（Ｗ）を狭く形成する。【００４０】また、プレート４の厚さについても、前記溝５の幅を調整することで、自在に調整することができる。【００４１】即ち、設置する状況に応じて、適切な支柱１とプレート４を自在に選択し、適切な下部支柱体２を形成することができる。【００４２】前記上部支柱体３は下部支柱体２の上部に形成され、下部支柱体２と一体形成、又は別体として形成されている。【００４３】本願発明の屋外用の支柱１は上記のように形成され、次に該支柱１を用いて、野球場の外周縁に沿ってネット体を吊り張りする場合について説明する。【００４４】先ず、野球場を形成する空間部の外周縁に沿って所望の間隔で孔を穿孔する。【００４５】孔の形状（深さ、径の大小）は設置するネット体（図示せず）の面積、及び地面の硬軟状態に応じて決定される。【００４６】即ち、ネット体が１０メートルを超えるような場合は、該ネット体が受ける風による影響も付加して、支柱１の下部支柱体２の径を大きく、長さを長く形成するとともに、該下部支柱体２の長さに応じてプレート４の長さ（Ｌ）、及び幅（Ｗ）を決定する。【００４７】次に、穿孔された孔の深さ、広さに対応して決定された下部支柱体２に、同様に決定されたプレート４を下部支柱体２の溝５に沿ってそれぞれ取り付ける。【００４８】この際、プレート４を取り付ける枚数も、３枚又は４枚と上部支柱体３を適切に支持できるように対応して決定する。【００４９】これにより、前記孔に沿って下部支柱体２を下部側より挿入し、各プレート４で下部支柱体２の立設を維持する。【００５０】その後、該孔にコンクリートを打ち硬化し、さらに土をその上にかけることで、下部支柱体２を安定した状態で埋設することができる。【００５１】これにより、上記埋設された下部支柱体２に取り付けられた上部支柱体３を地上部分に立設することができる。【００５２】前記立設された複数本の屋外用の支柱１間にネット体を取り付けることで、空間部の外周縁に沿ってネット体を吊り張りすることができる。【００５３】このように、本願発明の屋外用の支柱１は立設する長さ、支柱１が受ける荷重等に適切に対応することができる。【００５４】また、あらゆる地盤状況に応じて、屋外用の支柱１を適切に立設することができる。【００５５】また、プレート４は取付手段を介して下部支柱体２に取り付けられるために、目的に対応してプレート４を自在に選択して取り付けでき、安全で効率のよい屋外用の支柱１の立設が可能である。【００５６】さらに、屋外用の支柱１の立設する現場で、プレート４の取り付けも可能であり、支柱１の搬送工程も容易に行える。【００５７】また、上記実施例では、下部支柱体２の側面２Ａにプレート４を取り付けた状態で、孔に挿入したが、本願発明において、プレート４の取り付けはこれに限定されるものでなく、複数のプレート４を下部支柱体２を挿通する挿通孔７を中心に所望の間隔で取り付けたプレート体８を形成し、該プレート体８を孔の底部分に固定した後、前記挿通孔７に下部支柱体２を挿入する。この際、下部支柱体２の側面２Ａに形成された溝５を前記プレート４に嵌入することで、プレート体８を下部支柱体２と一体形成する。この状態で孔に下部支柱体２を埋設することで、屋外用の支柱１を立設することも可能である。【００５８】この際、プレート体８を形成するプレート４の枚数、大きさ等は上記実施例と同様に地盤状況に応じて、決定される。【００５９】また、プレート４と下部支柱体２とがそれぞれ別々に孔に挿入できるもで、その挿入工程が容易である。
【図面の簡単な説明】
【００６０】
【図１】本願発明の屋外用の支柱を示す概略説明側面図
【図２】下部支柱体に取り付けるプレートを示す概略説明側面図
【図３】下部支柱体に取り付けるプレートを示す概略説明側面図
【図４】下部支柱体に取り付けたプレートの取り付け状態を示す概略説明平面図
【図５】下部支柱体に取り付けたプレートの取り付け状態を示す概略説明平面図
【図６】本願発明の屋外用の支柱の他実施例を示す概略説明側面図
【図７】図６の下部支柱体に取り付けるプレートを示す概略説明側面図
【図８】本願発明の屋外用の支柱の他実施例を示す概略説明平面図
【図９】本願発明の屋外用の支柱の立設方法のフローチャート
【図１０】本願発明の屋外用の支柱の立設方法のフローチャート
【符号の説明】
【００６１】１−屋外用の支柱、２−下部支柱体、３−上部支柱体、４−プレート、５−溝
【図１】
2017089358.tif 000003
【図２】
2017089358.tif 000004
【図３】
2017089358.tif 000005
【図４】
2017089358.tif 000006
【図５】
2017089358.tif 000007
【図６】
2017089358.tif 000008
【図７】
2017089358.tif 000009
【図８】
2017089358.tif 000010
【図９】
2017089358.tif 000011
【図１０】
2017089358.tif 000012